(57)【要約】【課題】ハウジングの機能向上。【解決手段】回転刃と、前記回転刃の外周部を覆うソーカバー部を有するハウジングと、切り粉を溜めるためのダストボックスと、を備え、前記ソーカバー部は、前記切り粉が通る通路と、前記切り粉を前記通路から排出するための排出口と、を有し、前記ダストボックスは、前記排出口に着脱可能に接続され、前記ハウジングは、前記排出口を覆うための蓋を備え、前記蓋は、前記排出口を閉じる第一の位置と、前記排出口を開く第二の位置との間を移動できるように、前記ソーカバー部に取り付けられており、前記第二の位置において、前記蓋は、前記排出口に接続された前記ダストボックスに当接することにより、前記排出口と前記ダストボックスとの接続を補助する。【選択図】図１１
2019188490.tif 000002
【特許請求の範囲】
【請求項１】
回転刃と、前記回転刃の外周部を覆うソーカバー部を有するハウジングと、切り粉を溜めるためのダストボックスと、を備え、
前記ソーカバー部は、前記切り粉が通る通路と、前記切り粉を前記通路から排出するための排出口と、を有し、
前記ダストボックスは、前記排出口に着脱可能に接続され、
前記ハウジングは、前記排出口を覆うための蓋を備え、
前記蓋は、前記排出口を閉じる第一の位置と、前記排出口を開く第二の位置との間を移動できるように、前記ソーカバー部に取り付けられており、
前記第二の位置において、前記蓋は、前記排出口に接続された前記ダストボックスに当接することにより、前記排出口と前記ダストボックスとの接続を補助する、丸鋸。
【請求項２】
前記蓋は、第一係止部を有しており、
前記ソーカバー部は、前記第一係止部を係止するための第二係止部を有しており、
前記ダストボックスは、前記第一係止部を係止するための第三係止部を有している、請求項１記載の丸鋸。
【請求項３】
前記ソーカバー部は、外面を有しており、
前記蓋は、外面を有しており、前記蓋の前記外面は、前記第一の位置において前記ソーカバー部の前記外面と略面一となり、
前記ダストボックスは、外面を有しており、前記ダストボックスは、前記ダストボックスの前記外面に、前記第二の位置において前記蓋が入り込む凹部を有しており、
前記蓋の前記外面は、前記第二の位置において、前記凹部の近傍における前記ダストボックスの前記外面と略面一となる、請求項１記載の丸鋸。
【請求項４】
前記回転刃は、回転軸線を有し、
前記蓋は、前記回転刃の前記回転軸線に沿った回動軸線を中心として回動し、
前記蓋の前記回動軸線は、前記排出口よりも、前記回転刃の回転方向の上流側に位置している、請求項１記載の丸鋸。
【発明の詳細な説明】
【技術分野】
【０００１】
本発明は、丸鋸に関し、具体的には、切り粉を溜めるためのダストボックスを装着できる丸鋸に関する。
【背景技術】
【０００２】
下記特許文献１の丸鋸は、回転刃を備えている。回転刃が被切断材を切断する際に、切り粉が発生する。ハウジングには切り粉が通る通路が形成されている。切り粉は、通路の出口から排出される。通路の出口の近傍には、アタッチメントが配置されている。アタッチメントは、通路の出口から排出される切り粉の排出方向を変えるためのものである。アタッチメントは、通路の出口の近傍の装着位置と、装着位置とは異なる収容位置とに移動できる。ハウジングの上面には、アタッチメントを収容するための収容部が形成されている。収容部が、アタッチメントの収容位置となる。アタッチメントを使用する場合、アタッチメントを装着位置に位置させる。アタッチメントを使用しない場合、アタッチメントを収容位置に位置させる。アタッチメントが装着位置に位置する状態と、アタッチメントが収容位置に位置する状態とで、切り粉の排出方向が異なる。丸鋸は、切り粉を溜めるためのダストボックスを備えている。アタッチメントを収容位置に移動させると、ダストボックスを通路の出口の近傍に装着させることができる。
【先行技術文献】
【特許文献】
【０００３】
【特許文献１】特開２０１７−２００７０９号公報
【発明の概要】
【発明が解決しようとする課題】
【０００４】
本発明は、ハウジングの機能向上を課題とする。
【課題を解決するための手段】
【０００５】
本発明の丸鋸は、回転刃と、前記回転刃の外周部を覆うソーカバー部を有するハウジングと、切り粉を溜めるためのダストボックスと、を備え、前記ソーカバー部は、前記切り粉が通る通路と、前記切り粉を前記通路から排出するための排出口と、を有し、前記ダストボックスは、前記排出口に着脱可能に接続され、前記ハウジングは、前記排出口を覆うための蓋を備え、前記蓋は、前記排出口を閉じる第一の位置と、前記排出口を開く第二の位置との間を移動できるように、前記ソーカバー部に取り付けられており、前記第二の位置において、前記蓋は、前記排出口に接続された前記ダストボックスに当接することにより、前記排出口と前記ダストボックスとの接続を補助する。
【発明の効果】
【０００６】
本発明の丸鋸によれば、ダストボックスを排出口に接続したときに、蓋を有効に活用することができる。
【図面の簡単な説明】
【０００７】
【図１】本発明の第一の実施形態における丸鋸を上側から見た図であって、蓋が第一の位置に位置する状態を示す図。
【図２】同実施形態における丸鋸を右側から見た図であって、蓋が第一の位置に位置する状態を示す図。
【図３】図２のＱ−Ｑ線の断面図。
【図４】図１のＰ−Ｐ線の断面図。
【図５】同実施形態における丸鋸を右側から見た図であって、蓋が第三の位置に位置する状態を示す図。
【図６】図１のＰ−Ｐ線の断面図であって、蓋が第三の位置に位置する状態を示す図。
【図７】同実施形態における丸鋸を右側から見た図であって、ダストボックスを取り付けた状態且つ蓋が第三の位置に位置する状態を示す図。
【図８】図１のＰ−Ｐ線の断面図であって、ダストボックスを取り付けた状態且つ蓋が第三の位置に位置する状態を示す図。
【図９】同実施形態における丸鋸を上側から見た図であって、ダストボックスを取り付けた状態且つ蓋が第二の位置に位置する状態を示す図。
【図１０】同実施形態における丸鋸を右側から見た図であって、ダストボックスを取り付けた状態且つ蓋が第二の位置に位置する状態を示す図。
【図１１】図１のＰ−Ｐ線の断面図であって、ダストボックスを取り付けた状態且つ蓋が第二の位置に位置する状態を示す図。
【図１２】図１０のＲ−Ｒ線の要部拡大断面図。
【図１３】図１０のＳ−Ｓ線の要部拡大断面図。
【図１４】同実施形態における丸鋸のダストボックスを右側から見た図。
【図１５】同実施形態における丸鋸のダストボックスを上側から見た図。
【図１６】図１５のＴ−Ｔ線の断面図。
【図１７】同実施形態における丸鋸のダストボックスの要部を右側から見た図であって、後蓋を開けた状態を示す図。
【図１８】本発明の第二の実施形態における丸鋸を右側から見た図であって、蓋が第一の位置に位置する状態を示す図。
【図１９】同実施形態における丸鋸を右側から見た図であって、蓋が第一の位置に位置する状態且つノズルを取り付けた状態を示す図。
【図２０】同実施形態における丸鋸を右側から見た図であって、ダストボックスを取り付けた状態且つ蓋が第二の位置に位置する状態を示す図。
【図２１】本発明の第三の実施形態における丸鋸を右側から見た図であって、蓋が第一の位置に位置する状態を示す図。
【図２２】同実施形態における丸鋸を右側から見た図であって、ダストボックスを取り付けた状態且つ蓋が第二の位置に位置する状態を示す図。
【図２３】図２２のＵ−Ｕ線の要部拡大断面図。
【発明を実施するための形態】
【０００８】
＜第一の実施形態＞
以下、本発明の第一の実施形態にかかる丸鋸を説明する。図１〜図１７に本実施形態の丸鋸を示している。本実施形態の丸鋸は、携帯用の丸鋸である。丸鋸は、図示しない被切断物を切断するための工具である。丸鋸は、回転刃１０によって、被切断物を切断する。丸鋸が被切断物を切断する際に、ユーザは、丸鋸を手で押す。以下、丸鋸を被切断物の上面に当てる場合について説明する。
【０００９】
回転刃１０が被切断物を切断していく方向を切断進行方向の前側とし、切断進行方向の前側とは反対側を切断進行方向の後側とする。以下、切断進行方向を単に前後方向といい、切断進行方向の前側を単に前側といい、切断進行方向の後側を単に後側という。平面視において、前後方向と直交する方向を左右方向とする。左右方向の第一方向と第二方向のうち、第一方向を左方向とし、第二方向を右方向とする。左方向と右方向は、丸鋸を後側から見たときを基準として定める。以下、右方向を単に右側といい、左方向を単に左側という。図１及び図２に、前側を矢印Ｙ１、後側を矢印Ｙ２、左側を矢印Ｘ１、右側を矢印Ｘ２、上側を矢印Ｚ１、下側を矢印Ｚ２で示している。
【００１０】
＜ベース１２＞
丸鋸は、ベース１２を備えている。ベース１２は、被切断物の上面に当てられる。ベース１２は、平面視矩形状の板状である。ベース１２は、平面視において長方形状である。ベース１２の長辺の方向は、前後方向に沿っている。ベース１２は、平坦な下面を有している。丸鋸が被切断物を切断する際に、ベース１２の下面は、被切断物の上面を摺動する。ベース１２の下面は、丸鋸を被切断物の上面に沿って案内するための案内面である。回転刃１０の下部はベース１２の下面から下方に突出している。
【００１１】
＜本体１４＞
丸鋸は、本体１４を備えている。本体１４は、ベース１２の上側に取り付けられている。本体１４は、前後方向に延びる図示しない縦ピンを中心として、ベース１２に対して左右に回動可能である。本体１４は、左右方向に延びる横ピン１６を中心として、ベース１２に対して上下に回動可能である。横ピン１６は、本体１４の前端部を支持している。
【００１２】
＜回転刃１０＞
本体１４は、回転刃１０を備えている。回転刃１０は、平面視において、ベース１２の左右方向の中心よりも右側に位置している。回転刃１０は、本体１４に回転可能に支持されている。回転刃１０は、左右方向に沿った回転軸線１０Ａを有している。回転刃１０の回転軸線１０Ａは、平面視において、ベース１２の前後方向の中心の近傍に位置している。回転刃１０の第一の面は左側を向き、第一の面とは反対側の第二の面は右側を向いている。回転刃１０の第一の面は左面であり、回転刃１０の第二の面は右面である。図２のように回転刃１０を右側から見たとき、回転刃１０は反時計回りに回転する。以下、回転刃の回転方向の上流側を単に上流側といい、回転刃の回転方向の下流側を単に下流側という。回転刃１０の下側には保護カバー１８が設けられている。
【００１３】
回転刃１０の回転軸線１０Ａが水平である状態を、丸鋸の基準状態とする。図面では、丸鋸の基準状態を図示している。基準状態において、回転刃１０は、ベース１２の下面に対して垂直であり、回転刃１０は、被切断物をベース１２の下面に対して直角に切断する。その場合、被切断物の切断面は被切断物の上面に対して直角の面となる。縦ピンを中心として、本体１４をベース１２に対して右側に傾けることにより、回転刃１０の回転軸線１０Ａを水平面に対して傾斜させることができる。その場合、被切断物の切断面は被切断物の上面に対して傾斜した傾斜面となる。
【００１４】
回転刃１０が被切断物を切断する深さを切り込み深さという。本体１４を横ピン１６を支点として上下に回動させると、ベース１２の下面に対する回転刃１０の突出量が増減し、切り込み深さを増減できる。図面には切り込み深さが最も深い状態を示している。
【００１５】
＜モータ２０＞
本体１４は、回転刃１０を駆動するためのモータ２０を備えている。モータ２０は、ブラシレスモータである。モータ２０は、ステータとロータとを備えている。ステータはコイルであり、ロータは永久磁石である。モータ２０は、左右方向に沿った回転軸線２０Ａを有している。モータ２０の回転軸線２０Ａは、回転刃１０の回転軸線１０Ａよりも前側に位置し、且つ、回転刃１０の回転軸線１０Ａよりも上側に位置している。モータ２０は、回転刃１０に対して左側に位置している。モータ２０の第一端部である左端部は、回転刃１０から遠い。モータ２０の第二端部である右端部は、回転刃１０に近い。モータ２０の左側の略半分は、ベース１２よりも左側にはみ出している。モータ２０は、回転軸線２０Ａ上にモータシャフト２２を備えている。ロータは、モータシャフト２２と一体に回転する。
【００１６】
＜ギヤ２４＞
本体１４は、モータ２０の回転を回転刃１０に伝達するための伝達機構であるギヤ２４を備えている。ギヤ２４の個数は、一つであっても複数であってもよい。ギヤ２４は、モータシャフト２２の右端部の近傍に位置する。モータシャフト２２の右端部には、図示しないピニオンギヤが形成されている。ギヤ２４は、ピニオンギヤと噛み合っている。
【００１７】
＜回路基板２６＞
本体１４は、モータ２０を駆動制御するための回路基板２６を備えている。回路基板２６は、薄い板状である。回路基板２６の厚さ方向は、左右方向に沿っている。回路基板２６の厚さ方向は、回路基板２６の実装面の法線方向である。回路基板２６は、長方形状である。回路基板２６の長辺の方向は、前後方向に沿っている。回路基板２６は、モータ２０の後側に位置している。回路基板２６は、モータ２０の左端部の近傍に位置する。回路基板２６の前端部はモータ２０に近く、回路基板２６の後端部はモータ２０から遠い。
【００１８】
＜バッテリパック２８＞
丸鋸は、コードレスである。丸鋸は、バッテリパック２８を備えている。バッテリパック２８は、直方体である。バッテリパック２８は、長方形状の上面を有している。バッテリパック２８の上面に、図示しない端子が設けられている。バッテリパック２８は、本体１４に前側に向けて取り付けられ、本体１４から後側に向けて取り外される。バッテリパック２８は本体１４に対して水平面と平行にスライド可能である。バッテリパック２８は、上面が上側を向いた状態で本体１４に取り付けられる。バッテリパック２８の上面の左右両側には、各々、図示しないスライドレールが形成されている。バッテリパック２８のスライドレールは、バッテリパック２８の上面の長辺の方向に沿って延びている。バッテリパック２８は、本体１４に、吊り下げられた状態で保持される。バッテリパック２８は、モータ２０の後側に位置している。バッテリパック２８は、回路基板２６と回転刃１０との間に位置している。バッテリパック２８は、モータ２０の後側の近傍に位置し、且つ、回路基板２６の右側の近傍に位置している。
【００１９】
＜ハウジング３０＞
本体１４は、中空状のハウジング３０を備えている。ハウジング３０は、モータ収容部３２と、ギヤ収容部３４と、ソーカバー部３６と、バッテリ装着部３８と、基板収容部４０と、ハンドル部４２とを有している。モータ収容部３２は、モータ２０を収容している。ギヤ収容部３４は、モータ収容部３２の右側に位置している。ギヤ収容部３４は、ギヤ２４を収容している。ソーカバー部３６は、ギヤ収容部３４の右側に位置している。ソーカバー部３６は、回転刃１０の外周部の全周のうちの上部を覆っている。
【００２０】
＜バッテリ装着部３８＞
バッテリ装着部３８にバッテリパック２８が装着される。バッテリ装着部３８は、モータ収容部３２の後側に位置している。バッテリ装着部３８は、モータ収容部３２の上部から後側に向けて延びている。バッテリ装着部３８の下面にバッテリパック２８が吊り下げられる。バッテリ装着部３８の下面に図示しない本体１４側の端子が設けられている。バッテリ装着部３８の端子にバッテリパック２８の端子が接続される。バッテリ装着部３８の下面に、図示しないスライドレールが形成されている。バッテリ装着部３８のスライドレールは、前後方向に延びている。バッテリ装着部３８のスライドレールにバッテリパック２８のスライドレールが係合する。バッテリ装着部３８のスライドレールは左右一対形成されている。
【００２１】
＜基板収容部４０＞
基板収容部４０は、回路基板２６を収容している。基板収容部４０は、モータ収容部３２の後側に位置している。基板収容部４０は、バッテリ装着部３８の左側に位置し、バッテリ装着部３８の左端部から下方に向けて延びている。基板収容部４０の右側面は、バッテリパック２８の左側面と対向する。
【００２２】
＜ハンドル部４２＞
ハンドル部４２は、ユーザーが把持する部分である。図２，４，５，６，７，８，１０，１１においては、ハンドル部４２の概略を二点鎖線で示している。切断作業時に、ユーザーは、ハンドル部４２を把持して丸鋸を前進させる。ハンドル部４２は、筒状である。ハンドル部４２は、回転刃１０から左側に離れて位置し、ソーカバー部３６から左側に離れて位置している。平面視において、ハンドル部４２は、前後方向に延びていて、ソーカバー部３６及び回転刃１０と平行である。ハンドル部４２は、モータ収容部３２の上面の右端部とバッテリ装着部３８の上面の後端部との間をつないでいる。ハンドル部４２は前端部と後端部を有している。ハンドル部４２の前端部は、モータ収容部３２の上面の右端部につながっている。ハンドル部４２の後端部は、バッテリ装着部３８の上面の後端部につながっている。
【００２３】
＜排出口＞
回転刃１０が被切断物を切断することにより、切り粉が発生する。回転刃１０は被切断物を下側から上側に向けて切断する。回転刃１０は、切り粉を上側に移動させ、ソーカバー部３６の内側に送り込む。ソーカバー部３６の内側には、切り粉が通る通路５０が形成されている。ソーカバー部３６の内面と回転刃１０の外周部との間には空間があいている。この空間が、切り粉が通る通路５０となる。切り粉は、通路５０を回転刃１０の回転方向に沿って上流側から下流側に向けて移動する。ソーカバー部３６の内面が通路５０の壁面となる。図４に、通路５０を移動する切り粉の流れを矢印で示している。
【００２４】
ソーカバー部３６は、切り粉を排出するための第一の排出口５２と第二の排出口５４とを有している。第一の排出口５２は、下流側であって後側に位置し、第二の排出口５４は、上流側であって前側に位置している。通路５０の前端部は切り粉の入口である。通路５０の後端部が第一の排出口５２である。ソーカバー部３６は、通路５０の後端部にパイプ５６を備えている。パイプ５６の前端部がソーカバー部３６に接続されている。パイプ５６の後端部が第一の排出口５２である。パイプ５６は、パイプ５６の前端部の中心線を中心として回転できる。パイプ５６は、前端部と後端部との間の途中の位置で曲がっている。パイプ５６を回転させることで、第一の排出口５２から排出される切り粉の排出方向を変えることができる。パイプ５６の後端部には、図示しない集塵機のホースを接続することができる。
【００２５】
第二の排出口５４は、通路５０の途中に位置している。第二の排出口５４は、通路５０の前端部と第一の排出口５２との間に位置している。第二の排出口５４は、回転刃１０の回転軸線１０Ａの真上の近傍に位置している。ソーカバー部３６は、ベース１２から上側に最も離れた部分である最上部を有している。最上部は、ソーカバー部３６のうち最も高い位置に位置している。第二の排出口５４は、ソーカバー部３６の最上部の近傍に位置している。第二の排出口５４は、上側と左右両側に開口している。第二の排出口５４は、三方に開口している。
【００２６】
ハウジング３０は、第二の排出口５４を閉じるための蓋６０を備えている。蓋６０は、ソーカバー部３６に取り付けられている。蓋６０は、ソーカバー部３６の外側を覆う。蓋６０は、左側の側壁部と、右側の側壁部と、天井部とを有している。蓋６０の天井部は、左側の側壁部の上端部と右側の側壁部の上端部とを左右方向に連結している。蓋６０は、前側と後側と下側の、三方に開口している。蓋６０の天井部は、蓋６０の前端部の近傍には形成されていない。
【００２７】
蓋６０の前端部がソーカバー部３６に回動可能に取り付けられている。蓋６０は、左右方向に沿った回動軸線６０Ａを有している。蓋６０は、蓋６０の前端部を支点として、前後に回動する。蓋６０の回動軸線６０Ａは、第二の排出口５４よりも前側であって上流側に位置している。蓋６０の左右の側壁部の前端部の内面に、各々、支軸部６２が形成されている。支軸部６２は、ソーカバー部３６の内側に向けて突出している。支軸部６２は、左右方向に沿った中心線を有している。支軸部６２は、円柱状の外周面を有している。ソーカバー部３６は、左側の側壁部と、右側の側壁部と、左右の側壁部の上端部同士を左右方向に連結する天井部とを有している。ソーカバー部３６の左側の側壁部の外面と右側の側壁部の外面には、各々、円形状の支持凹部６４が形成されている。左右の支持凹部６４に左右の支軸部６２がそれぞれ係合している。左右の支軸部６２及び左右の支持凹部６４が、蓋６０の回動支点となる。
【００２８】
蓋６０は、第一の位置と、第二の位置と、第三の位置とに、各々位置することができる。第一の位置は、蓋６０が最も後側に回動した位置である。第二の位置は、蓋６０が第一の位置よりも前側に回動した位置である。第三の位置は、蓋６０が第二の位置よりも前側に回動した位置であって、蓋６０が最も前側に回動した位置である。蓋６０は、第一の位置から第三の位置までの間を回動できる。第一の位置において、蓋６０は、第二の排出口５４を閉じている。第二の位置及び第三の位置において、蓋６０は、第二の排出口５４を開いている。第二の位置において、蓋６０は、第二の排出口５４に接続されたダストボックス７４に当接して、第二の排出口５４とダストボックス７４との間の接続を補助している。第三の位置において、蓋６０は、ダストボックス７４から前側に離れている。
【００２９】
蓋６０は、係止爪６６を備えている。係止爪６６が第一係止部である。係止爪６６は、蓋６０の天井部の後端部に位置している。係止爪６６は、前後方向に沿ってスライドできる。係止爪６６は、蓋６０の後端部から後側に突出している。係止爪６６が前側に移動すると、係止爪６６の突出量は減少し、係止爪６６が後側に移動すると、係止爪６６の突出量は増加する。係止爪６６の先端部の下側には斜面６６Ａが形成されている。蓋６０は、バネ６８を内蔵している。バネ６８は、係止爪６６を突出方向に付勢している。バネ６８は、コイルバネである。バネ６８が係止爪６６を押しているので、係止爪６６は、常時は、蓋６０の後端部から後側に突出している。蓋６０は、係止爪６６を前側に移動させるための操作具７０を備えている。操作具７０と係止爪６６は互いに連結されていて、操作具７０と係止爪６６は一体となって前後に移動する。操作具７０と係止爪６６は、一つの部材として一体的に形成されている。操作具７０は、蓋６０の天井部の外面に位置している。ユーザが操作具７０を前側に移動させると、係止爪６６の突出量は減少する。ユーザが操作具７０から手を離すと、バネ６８が係止爪６６を後側に押して、係止爪６６の突出量が増加する。
【００３０】
ソーカバー部３６の第二の排出口５４の後側の縁部には、係止凹部７２が形成されている。係止凹部７２が第二係止部である。係止凹部７２が係止爪６６を係止する。係止凹部７２は、前側に開口していて、後側に向けて延びている。係止爪６６は、係止凹部７２に前側から後側に向けて入り込む。蓋６０が第一の位置に位置すると、係止爪６６が係止凹部７２に係止される。係止爪６６が係止凹部７２に係止されることにより、蓋６０はソーカバー部３６によって第一の位置に保持される。
【００３１】
蓋６０の内面は、通路５０の壁面の一部である。蓋６０が閉じた状態において、蓋６０の内面は、通路５０の壁面の一部となる。蓋６０が閉じた状態において、蓋６０の内面は、ソーカバー部３６の内面と略面一である。蓋６０が閉じた状態において、蓋６０の外面６０Ｂは、ソーカバー部３６の外面３６Ｂと略面一である。特に、蓋６０の外面６０Ｂの上面は、ソーカバー部３６の外面３６Ｂの上面と略面一である。
【００３２】
＜ダストボックス７４＞
丸鋸は、切り粉を溜めるためのダストボックス７４を備えている。ダストボックス７４は、本体１４に取り付けられる。具体的には、ダストボックス７４は、ハウジング３０に取り付けられる。ユーザは、本体１４にダストボックス７４を取り付けた状態で丸鋸を使用することができ、本体１４からダストボックス７４を外した状態でも丸鋸を使用することができる。
【００３３】
ダストボックス７４は、ダストボックス７４の内部に切り粉を取り込むための導入口７６を有している。ダストボックス７４は、前後方向に延びる形状である。導入口７６は、ダストボックス７４の前端部に形成されている。ダストボックス７４は、切り粉を溜めるための貯留部７８を有している。貯留部７８は、ダストボックス７４の後部に形成されている。貯留部７８は、導入口７６に対して、右側に位置ずれしている。ダストボックス７４は、導入口７６と貯留部７８との間を結ぶ内部通路８０を有している。内部通路８０は、導入口７６から貯留部７８の上端部まで徐々に上昇している。
【００３４】
ダストボックス７４は、貯留部７８に溜まった切り粉を外部に排出するための廃棄口８２を有している。廃棄口８２は、ダストボックス７４の後端部に形成されている。ダストボックス７４は、廃棄口８２を覆うための後蓋８４を備えている。後蓋８４は、後蓋８４の上端部を支点として上下に回動する。図１７のように後蓋８４を開けると廃棄口８２が開口し、貯留部７８に溜まった切り粉を廃棄口８２から排出できる。後蓋８４は、後蓋８４が閉じた状態を維持するための係止爪８４Ｂを備えている。廃棄口８２の近傍には図示しない係止部が設けられている。係止爪８４Ｂが廃棄口８２の近傍の係止部に係合することにより、後蓋８４は閉じた状態に維持される。
【００３５】
尚、廃棄口８２を、図示しない集塵機のホースを接続できるような形状としてもよい。その場合には、後蓋８４を開けることで、図示しない集塵機のホースを廃棄口８２に取り付けることができる。後蓋８４に、集塵機のホースを接続するための図示しないホース接続部を設けてもよい。ホース接続部には図示しないキャップを備えておくことができる。キャップを外してホース接続部を開口させ、そのホース接続部に集塵機のホースを接続する。後蓋８４にホース接続部を設けると、後蓋８４を開けることなく集塵機のホースをダストボックス７４に接続することができる。
【００３６】
後蓋８４は、延長部８４Ａを有している。延長部８４Ａは、廃棄口８２よりも下側に延びている。後蓋８４の回動支点から延長部８４Ａまでの長さは、後蓋８４の回動支点から廃棄口８２までの長さよりも長い。延長部８４Ａは、後蓋８４の先端部であって下端部に形成されている。後蓋８４の延長部８４Ａは、ソーカバー部３６の第一の排出口５２を後側から覆う。
【００３７】
ダストボックス７４は、前端部に、係止部としての係止凹部８６を有している。係止凹部８６は、導入口７６の周縁部に形成されており、具体的には、導入口７６の上側の縁部に形成されている。係止凹部８６は前側に開口している。ソーカバー部３６は、ダストボックス７４の係止凹部８６を係止するための係止部としての係止凸部８８を有している。係止凸部８８は、第二の排出口５４の周縁部に形成されており、具体的には、第二の排出口５４の前側の縁部に形成されている。係止凸部８８は、第二の排出口５４の前側の縁部から後側に向けて突出している。ソーカバー部３６の係止凸部８８がダストボックス７４の係止凹部８６に入り込むことにより、ダストボックス７４の係止凹部８６がソーカバー部３６の係止凸部８８によって係止される。ダストボックス７４の係止凹部８６がソーカバー部３６の係止凸部８８に係止されることにより、ダストボックス７４の前端部の上下方向の移動が規制され、導入口７６の位置が安定する。ソーカバー部３６の係止凸部８８がダストボックス７４の係止凹部８６に入り込んだ状態で、ダストボックス７４は、ソーカバー部３６の係止凸部８８を支点として上下に僅かに回動できる。
【００３８】
ダストボックス７４は、係止凹部８６よりも後側に、フック９０を備えている。フック９０は、貯留部７８の近傍であって前側に位置している。フック９０は、左右方向に沿ってスライド可能である。フック９０は、軸部９２と腕部９４とを有している。軸部９２は、左右方向に沿って延びていて、ダストボックス７４を左右方向に貫通している。軸部９２の右端部には、筒状のキャップ９６が被せられている。キャップ９６は、ダストボックス７４の右側面に露出している。軸部９２は、左右方向中間位置にフランジ部９８を有している。フランジ部９８とダストボックス７４の内面との間にはバネ１００が設けられている。バネ１００は、コイルバネである。バネ１００は、フランジ部９８を介してフック９０を右側に付勢している。
【００３９】
腕部９４は、軸部９２の左端部から延びている。腕部９４は、軸部９２に対して直交する方向に向けて延びており、具体的には、腕部９４は、下側に向けて延びている。腕部９４は、ダストボックス７４の左側面の外側に位置している。腕部９４の先端部の右側面に、係止部１０２が形成されている。係止部１０２は、右側に向けて突出している。係止部１０２の下側には斜面１０４が形成されている。ソーカバー部３６の左側面には、フック９０の係止部１０２と係止する係止部１０６が形成されている。ソーカバー部３６の係止部１０６は、ソーカバー部３６の左側の側壁部の外面に形成されている。ソーカバー部３６の係止部１０６は、第二の排出口５４よりも後側に位置し、第一の排出口５２よりも前側に位置している。ソーカバー部３６の係止部１０６の上側には斜面１０８が形成されている。フック９０の係止部１０２は、ソーカバー部３６の係止部１０６の下側に係止する。
【００４０】
ダストボックス７４は、蓋６０の後部が入る凹部１１０を有している。凹部１１０は、ダストボックス７４の前部の上面に形成されている。凹部１１０は、ダストボックス７４の前端部まで延びている。凹部１１０は、上側に開口すると共に左右両側にも開口している。凹部１１０の後側の縁部に、蓋６０の係止爪６６を係止するための第三係止部である係止凹部１１２が形成されている。係止凹部１１２は前側に開口している。ダストボックス７４の係止凹部１１２には、蓋６０の係止爪６６が前側から入り込むことができる。
【００４１】
＜ダストボックス７４の装着＞
ダストボックス７４をソーカバー部３６に装着する際には、蓋６０を第三の位置まで回動させて蓋６０を全開の状態とする。ダストボックス７４の前端部を第二の排出口５４に差し込むようにして導入口７６を第二の排出口５４に接続する。ダストボックス７４の前端部の係止凹部８６とソーカバー部３６の係止凸部８８とを互いに係合させる。ソーカバー部３６の係止凸部８８を支点としてダストボックス７４を下側に若干回動させる。フックの９０の斜面１０４がソーカバー部３６の斜面１０８に上側から当接することにより、フック９０はバネ１００の付勢力に抗して左側に移動する。フック９０の係止部１０２は、ソーカバー部３６の係止部１０６を乗り越えて下側に移動して、ソーカバー部３６の下側に係止する。バネ１００がフック９０を右側に付勢しているので、フック９０の係止部１０２とソーカバー部３６の係止部１０６との間の係止状態が維持される。
【００４２】
ダストボックス７４を第二の排出口５４に接続した後、蓋６０を後側に回動させて、蓋６０をダストボックス７４の凹部１１０に入れて蓋６０をダストボックス７４に当接させる。蓋６０の係止爪６６の先端部の下側には斜面６６Ａが形成されているので、蓋６０をダストボックス７４の凹部１１０に向けて押すことにより、係止爪６６がスライドして凹部１１０の係止凹部１１２に入り込む。バネ１００が係止爪６６を押しているので、係止爪６６とダストボックス７４の係止凹部１１２との間の係止状態が維持される。ダストボックス７４は、ソーカバー部３６の係止凸部８８と、ソーカバー部３６の係止部１０６と、蓋６０の係止爪６６の合計三つの部分で係止される。蓋６０の係止爪６６がダストボックス７４の係止凹部１１２に係止されることにより、蓋６０は第二の位置に保持される。蓋６０の外面６０Ｂは、凹部１１０から後側に延びるダストボックス７４の外面７４Ｂと略面一となる。特に、蓋６０の外面６０Ｂの上面は、凹部１１０から後側に延びるダストボックス７４の外面７４Ｂの上面と略面一となる。蓋６０は、ダストボックス７４の前端部を前後に跨ぐようにしてダストボックス７４の前端部の上側を覆う。蓋６０は、ダストボックス７４の係止凹部８６とソーカバー部３６の係止凸部８８とを上側から覆う。
【００４３】
ダストボックス７４が装着されると、ダストボックス７４の導入口７６は、第二の排出口５４から通路５０の内側に入り込んだ状態となる。導入口７６は、通路５０の上流側を向いた状態となる。導入口７６の上側の縁部は、通路５０の壁面の上部の後側の近傍に位置し、且つ、通路５０の壁面の上部と略面一となる。切り粉は、通路５０を下流側に向けて流れる。特に、切り粉は、通路５０の壁面の上部に当たりながら、その上部に沿うようにして下流側に流れる。切り粉は、導入口７６からダストボックス７４に入り、内部通路８０を通って貯留部７８に溜まる。図１１に、切り粉の流れを矢印で示している。
【００４４】
ダストボックス７４の貯留部７８は、パイプ５６の上側に位置する。ダストボックス７４の後蓋８４の延長部８４Ａは、第一の排出口５２の後側に対向して位置して、第一の排出口５２を隙間をあけた状態で後側から覆う。貯留部７８が導入口７６に対して右側に位置ずれしているので、貯留部７８は回転刃１０に対して右側にオフセットした状態となる。そのため、ダストボックス７４の後部がハンドル部４２から右側に離れる。ダストボックス７４の後部とハンドル部４２との間のスペースが拡大されて、ハンドル部４２を把持しやすくなる。
【００４５】
ダストボックス７４を取り外す場合には、まず、操作具７０を前側にスライドさせて係止爪６６を前側に移動させる。係止爪６６が前側に移動することにより、係止爪６６とダストボックス７４の係止凹部１１２との間の係止状態が解除される。蓋６０を前側に回動させて第三の位置に位置させる。次に、ダストボックス７４の右側面に露出するキャップ９６を押す。キャップ９６を押すと、フック９０が左側にスライドして、フック９０の係止部１０２とソーカバー部３６の係止部１０６との間の係止状態が解除される。キャップ９６を指で押しながらダストボックス７４を把持し、ソーカバー部３６の係止凸部８８を支点としてダストボックス７４を若干上側に回動させ、ダストボックス７４を斜め後方に引き抜く。
【００４６】
以上のように、第一の実施形態における丸鋸は、ダストボックス７４を装着した状態において、蓋６０は、ダストボックス７４に当接して、ダストボックス７４と第二の排出口５４との接続を補助する。そのため、ダストボックス７４と第二の排出口５４との接続を安定させることができる。特に、蓋６０の係止爪６６とダストボックス７４の係止凹部１１２とが互いに係止するので、ダストボックス７４の装着状態が安定すると共に、蓋６０が第二の位置に保持される。蓋６０がダストボックス７４の凹部１１０に係合するので、ダストボックス７４と蓋６０とが一体的に見え、デザインが良好になる。蓋６０をダストボックス７４の凹部１１０に係合させることができるので、ダストボックス７４を装着したときに蓋６０をハウジング３０に収容する必要がなくなる。そのため、第二の排出口５４とは異なるハウジング３０の位置に、蓋６０を収容するための収容凹部を別途設ける必要がなくなる。第二の位置において蓋６０の外面６０Ｂとダストボックス７４の外面７４Ｂとが略面一になるので、デザインが良好になる。ダストボックス７４の導入口７６を、第一の排出口５２よりも上流側の第二の排出口５４に接続できるので、切り粉を効率良くダストボックス７４に取り込むことができる。
【００４７】
蓋６０の回動軸線６０Ａが第二の排出口５４よりも上流側に位置しているので、ダストボックス７４を後側から前側に向けて容易に装着することができる。蓋６０を、第二の位置よりも前側の位置である第三の位置に位置させることができるので、ダストボックス７４の着脱作業が容易である。蓋６０が第二の位置において第二の排出口５４の前側の縁部を覆うので、ダストボックス７４の係止凹部８６とソーカバー部３６の係止凸部８８とが蓋６０によって保護される。
【００４８】
ダストボックス７４を装着しない場合、蓋６０によって第二の排出口５４を閉じることができる。蓋６０によって第二の排出口５４が閉じられた状態においても、第一の排出口５２から切り粉を外部に排出することができる。第一の位置において蓋６０の外面６０Ｂはソーカバー部３６の外面３６Ｂと略面一となるので、通路５０の途中に蓋６０を備えていても、良好なデザインとなる。第一の位置において蓋６０の内面はソーカバー部３６の内面と略面一となるので、通路５０の途中に蓋６０を備えていても、切り粉はスムーズに第一の排出口５２へ流れていく。蓋６０の係止爪６６がソーカバー部３６の係止凹部７２に係止されるので、蓋６０が第一の位置に保持される。蓋６０の係止爪６６は、ダストボックス７４の係止凹部１１２に係合できるものであると共にソーカバー部３６の係止凹部７２にも係合できるものである。そのため、蓋６０に、ダストボックス７４の係止凹部１１２に係合するための専用の係止部と、ソーカバー部３６の係止凹部７２に係合するための専用の係止部とを、各々設けなくて済む。
【００４９】
＜第二の実施形態＞
次に、本発明の第二の実施形態にかかる丸鋸について説明する。但し、第一の実施形態と同様の構成についてはその詳細な説明を省略する。第二の実施形態の丸鋸を図１８から図２０に示している。図１８と図１９は、蓋６０が第一の位置に位置した状態であって、第二の排出口５４が閉じている状態を示している。図２０は、蓋６０が第二の位置に位置した状態であって、第二の排出口５４にダストボックス７４が接続された状態を示している。蓋６０は、第一の位置と第二の位置との間を移動できる。本実施形態の丸鋸は、バッテリパック２８を備えていない。
【００５０】
第一の排出口５２は、ソーカバー部３６の右側面に形成されている。図１８のように、蓋６０が第二の排出口５４を閉じた状態では、切り粉は、第一の排出口５２から右側に向けて排出される。図１９のように、第一の排出口５２には、筒状のノズル１２０を取り付けることができる。第一の排出口５２のノズル１２０を取り付けると、切り粉の排出方向は後側となる。ノズル１２０の後端部には、図示しない集塵機のホースを接続することができる。
【００５１】
蓋６０は、前側のリンク１２２と後側のリンク１２４とを介してソーカバー部３６に取り付けられている。前側のリンク１２２の第一の端部である下端部と後側のリンク１２４の第一の端部である下端部は、各々、ソーカバー部３６に回動可能に取り付けられている。前側のリンク１２２の第二の端部である上端部と後側のリンク１２４の第二の端部である上端部は、各々、蓋６０に回動可能に取り付けられている。
【００５２】
図１８及び図１９のように、蓋６０が閉じた状態では、蓋６０の外面６０Ｂとソーカバー部３６の外面３６Ｂとは略面一となる。図２０のように、蓋６０を前側且つ上側に移動させると、第二の排出口５４が開き、第二の排出口５４にダストボックス７４を接続することができる。第二の排出口５４に接続されたダストボックス７４の凹部１１０には、蓋６０の後部が入り込む。ダストボックス７４の凹部１１０に蓋６０の後部が入り込むと、蓋６０の外面６０Ｂとダストボックス７４の外面７４Ｂとは略面一になる。蓋６０は、第二の位置においてダストボックス７４に当接し、ダストボックス７４と第二の排出口５４との間の接続を補助する。
【００５３】
＜第三の実施形態＞
次に、本発明の第三の実施形態にかかる丸鋸について説明する。但し、上記実施形態と同様の構成についてはその詳細な説明を省略する。第三の実施形態の丸鋸を図２１から図２３に示している。図２１は、蓋６０が第一の位置に位置した状態であって、第二の排出口５４が閉じた状態を示している。図２２及び図２３は、蓋６０が第二の位置に位置した状態であって、第二の排出口５４が開いた状態を示している。蓋６０は、第一の位置と第二の位置との間を移動できる。図２１はダストボックス７４が取り付けられていない状態を示しており、図２２及び図２３はダストボックス７４が取り付けられた状態を示している。
【００５４】
蓋６０は、蓋６０の後端部を支点として上下に回動する。蓋６０は、左右方向に沿った回動軸線６０Ａを有している。蓋６０の回動軸線６０Ａは、蓋６０の後端部に位置し、且つ、第二の排出口５４の後側の縁部に位置している。第一の位置において、蓋６０の前端部は第二の排出口５４の前側の縁部に内側から当接している。蓋６０は、第一の位置からソーカバー部３６の内側に向けて回動して第二の位置となる。蓋６０が第一の位置から第二の位置に回動すると、蓋６０の前端部は第二の排出口５４の前側の縁部から内側に離れる。第二の位置において蓋６０は、通路５０内に突出した状態となる。通路５０内の切り粉は、蓋６０によって第二の排出口５４へ誘導される。
【００５５】
蓋６０は、バネ１３０によって第一の位置側に付勢されている。バネ１３０は、蓋６０を外側に付勢している。バネ１３０は、ねじりコイルバネである。蓋６０は、バネ１３０によって付勢されることにより、常時は、第一の位置に位置している。ダストボックス７４は、蓋６０を内側に押すための押圧部１３２を有している。押圧部１３２は、導入口７６の縁部に形成されている。ダストボックス７４をソーカバー部３６に取り付ける際に、ダストボックス７４の押圧部１３２が蓋６０を上側から押して蓋６０を内側に回動させる。ダストボックス７４をソーカバー部３６に取り付けることにより、蓋６０を自動的に第二の位置に回動させて第二の排出口５４を開くことができる。ダストボックス７４をソーカバー部３６から取り外すと、蓋６０はバネ１３０によって自動的に元の第一の位置に戻り、第二の排出口５４は閉じた状態となる。
【００５６】
図示しないが、第一の実施形態と同様に、ダストボックス７４は、係止部１０２を有するフック９０を備えている。ダストボックス７４の装着状態においては、バネ１３０は、蓋６０を外側に向けて付勢し、蓋６０は、ダストボックス７４の押圧部１３２を上側に付勢している。ダストボックス７４がバネ１３０によって上側に付勢されることにより、フック９０の係止部１０２とソーカバー部３６の係止部１０６との間の係止状態が安定する。
【００５７】
上記実施形態では、ソーカバー部３６に二つの排出口が設けられていたが、一つの排出口のみが設けられていてもよい。排出口が一つである場合には、その排出口に蓋６０が設けられ、その排出口にダストボックス７４が接続される。
【符号の説明】
【００５８】
１０    回転刃
１０Ａ  回転軸線
１２    ベース
１４    本体
１６    横ピン
１８    保護カバー
２０    モータ
２０Ａ  回転軸線
２２    モータシャフト
２４    ギヤ
２６    回路基板
２８    バッテリパック
３０    ハウジング
３２    モータ収容部
３４    ギヤ収容部
３６    ソーカバー部
３６Ｂ  外面
３８    バッテリ装着部
４０    基板収容部
４２    ハンドル部
５０    通路
５２    第一の排出口
５４    第二の排出口
５６    パイプ
６０    蓋
６０Ａ  回動軸線
６０Ｂ  外面
６２    支軸部
６４    支持凹部
６６    係止爪（第一係止部）
６６Ａ  斜面
６８    バネ
７０    操作具
７２    係止凹部（第二係止部）
７４    ダストボックス
７４Ｂ  外面
７６    導入口
７８    貯留部
８０    内部通路
８２    廃棄口
８４    後蓋
８４Ａ  延長部
８４Ｂ  係止爪
８６    係止凹部
８８    係止凸部
９０    フック
９２    軸部
９４    腕部
９６    キャップ
９８    フランジ部
１００    バネ
１０２    フックの係止部
１０４    斜面
１０６    ソーカバー部の係止部
１０８    斜面
１１０    凹部
１１２    係止凹部（第三係止部）
１２０    ノズル
１２２    前側のリンク
１２４    後側のリンク
１３０    バネ
１３２    押圧部
【図１】
2019188490.tif 000003
【図２】
2019188490.tif 000004
【図３】
2019188490.tif 000005
【図４】
2019188490.tif 000006
【図５】
2019188490.tif 000007
【図６】
2019188490.tif 000008
【図７】
2019188490.tif 000009
【図８】
2019188490.tif 000010
【図９】
2019188490.tif 000011
【図１０】
2019188490.tif 000012
【図１１】
2019188490.tif 000013
【図１２】
2019188490.tif 000014
【図１３】
2019188490.tif 000015
【図１４】
2019188490.tif 000016
【図１５】
2019188490.tif 000017
【図１６】
2019188490.tif 000018
【図１７】
2019188490.tif 000019
【図１８】
2019188490.tif 000020
【図１９】
2019188490.tif 000021
【図２０】
2019188490.tif 000022
【図２１】
2019188490.tif 000023
【図２２】
2019188490.tif 000024
【図２３】
2019188490.tif 000025